(57)【要約】【課題】本発明は、ほとんどコストを掛けずに加工でき、使い勝手の良いコネクタ式ソレノイドを提供することを目的とするものである。【解決手段】本発明は、金板を逆Ｕ字状に折り曲げ両端に下板を嵌合した金枠と、前記金枠の内部に収納したボビンに電線を巻き付けたコイルと、前記コイルの電線から延びたコネクタとからなり、金枠の上面の隅に切欠きを縦長に設け、コネクタを取り付けたボビンのコネクタ嵌合部を前記切欠きから出したことを特徴とするコネクタ式ソレノイドの構成とした。【選択図】図１
2007142169.tif 000002
【特許請求の範囲】
【請求項１】
金板を逆Ｕ字状に折り曲げ両端に下板を嵌合した金枠と、前記金枠の内部に収納したボビンに電線を巻き付けたコイルと、前記コイルの電線から延びたコネクタとからなり、金枠の上面の隅に切欠きを縦長に設け、コネクタを取り付けたボビンのコネクタ嵌合部を前記切欠きから出したことを特徴とするコネクタ式ソレノイド。
【請求項２】
金枠の上面の隅に切欠きを横長に設けコネクタを取り付けたボビンのコネクタ嵌合部を前記切欠きから出したことを特徴とする請求項１に記載のコネクタ式ソレノイド。
【請求項３】
金枠の上面の四隅にコネクタ用の切欠きを設けたことを特徴とする請求項１又は請求項２に記載のコネクタ式ソレノイド。
【請求項４】
ボビンの上押さえの四隅に金枠の切欠きに嵌合する凸部を設けたことを特徴とする請求項３に記載のコネクタ式ソレノイド。
【請求項５】
ボビンの下押さえの四隅に切欠きを設けたことを特徴とする請求項１、請求項２、請求項３又は請求項４に記載のコネクタ式ソレノイド。
【請求項６】
ボビンのコネクタ嵌合部の下部にコネクタの突起を嵌め込むための溝を設けたことを特徴とする請求項１、請求項２、請求項３、請求項４又は請求項５に記載のコネクタ式ソレノイド。
【発明の詳細な説明】
【技術分野】
【０００１】
本発明は、ほとんどコストを掛けずに加工でき、使い勝手の良いコネクタ式ソレノイドに関するものである。
【背景技術】
【０００２】
パチンコ等の遊技機において、パチンコ球の打出しやパチンコ台内で発生する動作にはソレノイドが用いられる。ソレノイドは、コイルに電流を流したり切ったりすることにより、プランジャーが往復運動する。
【０００３】
図２２は、従来のソレノイドの斜視図である。ソレノイド１ｂは、逆Ｕ字状の金枠２ｂ、金枠２ｂの空いた側を塞ぐ下板３、金枠２ｂ内に設置したコイル４ｂ、コイル４ｂを巻き付けるためのボビン５ｃ、コイル４ｂ内を移動するプランジャー８等からなる。
【０００４】
コイル４ｂにはケーブル４ｇが取り付けられ、電流が供給される。コイル４ｂに電流を流すと、電磁誘導によりプランジャー８が駆動する。尚、リベット７は、金枠２ｂとボビン５ｃを固定するために打つ鋲である。
【０００５】
特許文献１に記載されているように、コイル、スプール、第１ヨーク片及び第２ヨーク片からなるソレノイド本体に対して、コネクタを実装した基板を取り付け、カバーを装着したソレノイド装置という発明も公開されている。
【特許文献１】特開２００３−００７５２９号公報
【発明の開示】
【発明が解決しようとする課題】
【０００６】
しかしながら、特許文献１に記載の発明は、コネクタを実装した基板を取り付け、カバーを装着しているため、形状が大きくなり嵩張る上に、基板及びカバーを製造するコストも余計に掛かる。
【０００７】
そこで、本発明は、ほとんどコストを掛けずに加工でき、使い勝手の良いコネクタ式ソレノイドを提供することを目的とするものである。
【課題を解決するための手段】
【０００８】
本発明は、上記の課題を解決するために、金板を逆Ｕ字状に折り曲げ両端に下板３を嵌合した金枠２と、前記金枠２の内部に収納したボビン５に電線４ｆを巻き付けたコイル４と、前記コイル４の電線４ｆから延びたコネクタ６とからなり、金枠２の上面２ｃの隅に切欠き２ｇを縦長に設け、コネクタ６を取り付けたボビン５のコネクタ嵌合部５ｈを前記切欠き２ｇから出したことを特徴とするコネクタ式ソレノイド１の構成とした。
【発明の効果】
【０００９】
本発明は、以上の構成であるから以下の効果が得られる。第１に、簡単に加工することができ、従来とほとんど変わらない手間とコストで製造することができる。部品を共通化することで、製品にばらつきも無くなり、作業効率も良くなる。
【００１０】
第２に、従来のソレノイドは、ケーブルをコイルに直接ハンダ付けしており、ケーブルの長さを変更することが困難であったが、コネクタ式であれば、ケーブルの長さが変わっても対応することが容易であり、幅広く使用することができるので、在庫を抱えることが無くなる。
【００１１】
第３に、コネクタ式であるため取付け及び取外しが容易であり、回収してリサイクルすることができる。強度を保ちつつ、金枠も外しやすくなっているため、コイル等のリユースも容易である。
【発明を実施するための最良の形態】
【００１２】
本発明は、ほとんどコストを掛けずに加工でき、使い勝手を良くするという目的を、金板を逆Ｕ字状に折り曲げ両端に下板を嵌合した金枠と、前記金枠の内部に収納したボビンに電線を巻き付けたコイルと、前記コイルの電線から延びたコネクタとからなり、金枠の上面の隅に切欠きを縦長に設け、コネクタを取り付けたボビンのコネクタ嵌合部を前記切欠きから出したコネクタ式ソレノイドとすることで実現した。
【実施例１】
【００１３】
以下に、添付図面に基づいて、本発明であるコネクタ式ソレノイドについて詳細に説明する。
【００１４】
コネクタ式ソレノイド１は、金板を逆Ｕ字状に折り曲げ両端に下板３を嵌合した金枠２と、前記金枠２の内部に収納したボビン５に電線４ｆを巻き付けたコイル４と、前記コイル４の電線４ｆから延びたコネクタ６とからなり、金枠２の上面２ｃの隅に切欠き２ｇを縦長に設け、コネクタ６を取り付けたボビン５のコネクタ嵌合部５ｈを前記切欠き２ｇから出したことを特徴とする。
【００１５】
図１から図７は、本発明であるコネクタ式ソレノイドのコネクタが縦型の場合の図である。尚、図１は斜視図であり、図２は正面図であり、図３は平面図であり、図４は左側面図であり、図５は右側面図であり、図６は底面図であり、図７は背面図である。
【００１６】
コネクタ式ソレノイド１は、金枠２、下板３、コイル４、ボビン５、コネクタ６、リベット７及びプランジャー８等からなり、コネクタ６にケーブル９のケーブル側コネクタ９ａを接続する。
【００１７】
金枠２は、上面２ｃ、左側面２ｄ及び右側面２ｅ等からなる。内部にコイル４を収納した後、左側面２ｄの左凸部２ｈ及び右側面２ｅの右凸部２ｉに、下板３の切欠き３ｂを合わせて取り付けることにより、金枠２の下側を閉じる。
【００１８】
尚、左凸部２ｈ及び右凸部２ｉには、潰すことで下板３を固定するための突起２ｊを有し、右側面２ｅには、金枠２を壁面等に取り付けるための留穴２ｋを有する。また、上面２ｃには、ボビン５を支えるための凹み２ｌを有する。
【００１９】
金枠２の上面２ｃの四隅のうちの一箇所には、縦長に切欠き２ｇが空けられ、ボビン５のコネクタ嵌合部５ｈが収められ、前方へコネクタ嵌合部５ｈに取り付けられたコネクタ６が突出する。
【００２０】
また、上面２ｃの孔には、リベット７が取り付けられ、下板３の孔には、プランジャー８が通される。リベット７は、中心に孔７ａのある円盤状の部材であり、金枠２とボビン５を繋ぎ合わせる。
【００２１】
プランジャー８は、コイル４内を往復運動する部材で、バネやストッパー等により位置を制御する。プランジャー８は、使用目的により形状等を変えることができる。例えば、円柱状にして湾曲したＥ型のリング８ｂ及び環状のワッシャー８ａを通したり、先端に連結溝８ｄ及び孔８ｃを設けて他の部品と連結できるようにしたりする。
【００２２】
コイル４が巻かれるボビン５は、上押さえ５ｄ及び下押さえ５ｅ等からなり、上押さえ５ｄは、前突起５ｆ、後突起５ｇ及びコネクタ嵌合部５ｈを有する。前突起５ｆ及び後突起５ｇは、金枠２に嵌め込み、コネクタ嵌合部５ｈには、コネクタ６を嵌め込む。
【００２３】
コネクタ６は、差込孔６ｂ及び嵌込部６ｃ等からなる。差込孔６ｂは、ケーブル９のケーブル側コネクタ９ａが差し込まれる箇所であり、嵌込部６ｃは、ボビン５のコネクタ嵌合部５ｈに嵌め込む箇所である。
【００２４】
図８から図１１までは、本発明であるコネクタ式ソレノイドのコネクタが横型の場合の図である。尚、図８は斜視図であり、図９は正面図であり、図１０は平面図であり、図１１は右側面図である。
【００２５】
コネクタ式ソレノイド１ａは、金枠２ａの上面２ｃの隅に切欠き２ｇを横長に設けコネクタ６ａを取り付けたボビン５ａのコネクタ嵌合部５ｈを前記切欠き２ｇから出したことを特徴とする。また、コネクタ式ソレノイド１ａは、金枠２ａの上面２ｃの四隅にコネクタ６ａ用の切欠き２ｇを設けたことを特徴とする。更に、コネクタ式ソレノイド１ａは、ボビン５ａの下押さえ５ｅの四隅に切欠き５ｋを設けたことを特徴とする。
【００２６】
コネクタ式ソレノイド１ａは、コネクタ式ソレノイド１と同様に、金枠２ａ、下板３、コイル４ａ、ボビン５ａ、コネクタ６ａ、リベット７及びプランジャー８等からなり、コネクタ６ａにケーブル９のケーブル側コネクタ９ａを接続する。
【００２７】
金枠２ａは、金枠２と同様の部材であるが、上面２ｃの切欠き２ｇが金枠２と異なる。切欠き２ｇは、上面２ｃの四隅の全てに対し、横長に空けられる。尚、下板３及びリベット７及びプランジャー８等は、同一である。
【００２８】
コイル４ａ及びボビン５ａは、コイル４及びボビン５と同様であるが、上押さえ５ｄのコネクタ嵌合部５ｈを横向きにしたことと、下押さえ５ｅの四隅に切欠き５ｋを空けたことが異なる。
【００２９】
コネクタ６ａは、コネクタ６と同じであるが、金枠２ａの切欠き２ｇが横長に空けられたことにより横向きに取り付けられる。尚、切欠き２ｇが上面２ｃの四隅の全てに空けられたため、どの位置にコネクタ６ａを設けても良い。
【００３０】
図１２は、本発明であるコネクタ式ソレノイドのコネクタが横型の場合の金枠の斜視図である。金枠２ａは、略長方形の板状の金属等である金板を逆Ｕ字状に折り曲げた部材である。
【００３１】
金枠２ａの上面２ｃには、孔２ｆ及び切欠き２ｇが空けられる。金枠２ａの左側面２ｄには、突起２ｊのある左凸部２ｈと凹み２ｌとが設けられる。金枠２ａの右側面２ｅには、突起２ｊのある右凸部２ｉと凹み２ｌとが設けられ、留穴２ｋが空けられる。
【００３２】
上面２ｃは、金枠２ａの中央部であり、左側には左側面２ｄが垂下し、右側には右側面２ｅが垂下する。尚、上面２ｃは、ボビン５ａの上押さえ５ｄを掛けるために、左側面２ｄ又は右側面２ｅよりも幅が短い。また、上面２ｃの中央には、リベット７を留めるための円形の孔２ｆが貫通する。
【００３３】
上面２ｃの四隅には、ボビン５ａのコネクタ嵌合部５ｈを通すための切欠き２ｇが空けられる。尚、金枠２ａの場合はコネクタ６ａを横にして取り付けるため横長であるが、金枠２の場合はコネクタ６を縦にして取り付けるため縦長である。
【００３４】
また、金枠２ではコネクタ６を設置する箇所のみ切欠き２ｇを空けているが、金枠２ａでは四隅全てに切欠き２ｇを空けている。金枠２ａの形状にバランスが取れる上に、コネクタ６を四隅のいずれかに設置することができるので汎用的である。尚、四隅に切欠き２ｇを設ける場合、強度的な面から横長の方が好ましい。
【００３５】
左側面２ｄは、金枠２ａの左部分である。上側は上面２ｃに連設され、下側は下板３と接続するための左凸部２ｈが設けられる。左側面２ｄの上部は、上面２ｃの幅が狭くなることから凹み２ｌが生じる。
【００３６】
左凸部２ｈは、左側面２ｄの下端中央に突設される。左凸部２ｈの両端には突起２ｊが設けられ、下板３を接合した後で突起２ｊを潰して拡げることにより、下板３が外れないように固定する。
【００３７】
右側面２ｅは、金枠２ａの右部分である。上側は上面２ｃに連設され、下側は下板３と接続するための右凸部２ｉが設けられる。右側面２ｅの上部は、上面２ｃの幅が狭くなることから凹み２ｌが生じる。
【００３８】
右凸部２ｉは、右側面２ｅの下端中央に突設される。右凸部２ｉの両端には突起２ｊが設けられ、下板３を接合した後で突起２ｊを潰して拡げることにより、下板３が外れないように固定する。
【００３９】
右側面２ｅには、金枠２ａを壁面に固定するための留穴２ｋが４ヶ所又は２ヶ所空けられる。尚、右側面２ｅではなく、左側面２ｄに空けても良い。留穴２ｋは、ネジ穴にすればネジ留めすることもできる。
【００４０】
図１３は、本発明であるコネクタ式ソレノイドの下板の斜視図である。下板３は、長方形状の金板であり、金枠２ａの下面に取り付ける。下板３の中央には孔３ａが空けられ、左右両端にはそれぞれ切欠き３ｂが空けられる。
【００４１】
孔３ａは、プランジャー８が通過する箇所である。孔３ａには、金枠２ａの中にボビン５ａを収納した際に、ボビン５の下押さえ５ｅを貫通して下側に出た筒５ｊの先端が嵌め込まれる。
【００４２】
切欠き３ｂは、金枠２ａの左側面２ｄの左凸部２ｈ又は右側面２ｅの右凸部２ｉが嵌合される箇所である。左右両側の切欠き３ｂに左側面２ｄ及び右側面２ｅを固定することにより、金枠２ａの空いた面を塞ぐことができる。
【００４３】
図１４は、本発明であるコネクタ式ソレノイドの金枠を取り外したコイルの斜視図である。コネクタ式ソレノイド１ａから下板３を外して金枠２ａを取り除くと、コイル４ａ、ボビン５ａ及びコネクタ６ａが残る。
【００４４】
コイル４ａは、ボビン５ａに電線４ｆを巻き付けたものであるが、巻かれた電線４ｆを保護し、かつ、コネクタ６ａと電線４ｆを繋ぐケーブル６ｄを隠すために外装テープ４ｃで表面を覆う。
【００４５】
ボビン５ａは、コイル４ａにする電線４ｆを巻くと共に、コイル４ａを金枠２ａの内側に設置した際にコイル４ａを支えるものである。また、コイル４ａから延びたコネクタ６ａを支えるのにも使用する。
【００４６】
コネクタ６ａは、外部のケーブル９と接続することにより、コイル４ａに電流を供給するためのものである。尚、外部のケーブル９のケーブル側コネクタ９ａはオス型であるため、コネクタ６ａはメス型である。
【００４７】
図１５は、本発明であるコネクタ式ソレノイドのボビンを取り外したコイルの斜視図である。コイル４ａの外装テープ４ｃも取り除くと、コイル４ａの本体である巻線４ｄが現れる。
【００４８】
巻線４ｄは、電線４ｆを何重にも巻いたものである。電線４ｆに電流を流すと、電磁誘導により中心の貫通孔４ｅに一定方向の力が生じることを利用し、プランジャー８を往復運動させる。
【００４９】
巻線４ｄの電線４ｆの先端は、両端ともコネクタ６ａのケーブル６ｄに接続し、コネクタ６ａを介して電流の供給を受ける。コネクタ６ａを使用することにより、コイル４ａからケーブル６ｄを延ばす必要がなくなる。尚、電線４ｆとケーブル６ｄの導線とはハンダ付けにより接続する。
【００５０】
図１６は、本発明であるコネクタ式ソレノイドのコネクタの右側面図である。コネクタ６ａは、コイル４ａのケーブル６ｄと外部のケーブル９とを接続する部材である。コネクタ６ａは、差込孔６ｂ、嵌込部６ｃ及びケーブル６ｄ等を有し、ボビン５ａのコネクタ嵌合部５ｈは、コネクタ６ａの形状に合わせて成型される。
【００５１】
差込孔６ｂは、ケーブル９のケーブル側コネクタ９ａを差し込む箇所であり、ケーブル側コネクタ９ａと形状や規格等を合致させる。内部には、電流を中継ぎするための端子も設けられる。
【００５２】
嵌込部６ｃは、差込孔６ｂのあるコネクタ６ａの上部より一回り小さい箇所であり、ボビン５のコネクタ嵌合部５ｈに嵌め込むことにより、コネクタ６ａの上部をコネクタ嵌合部５ｈの上方に突出させる。
【００５３】
嵌込部６ｃの下端には突起６ｅがあり、ボビン５のコネクタ嵌合部５ｈに嵌め込んだ際に、コネクタ６ａの上部と突起６ｅによりコネクタ６ａが上下に移動しないように固定することができる。
【００５４】
ケーブル６ｄは、コネクタ６ａとコイル４ａの電線４ｆを繋ぐための部材である。コイル４ａの電線４ｆの一端を繋ぐケーブル６ｄと、もう一端を繋ぐケーブル６ｄとの２本がコネクタ６ａに接続される。
【００５５】
図１７は、本発明であるコネクタ式ソレノイドのボビンの上押さえ側からの斜視図であり、図１８は、本発明であるコネクタ式ソレノイドのボビンの下押さえ側からの斜視図である。
【００５６】
ボビン５ａは、上押さえ５ｄ、下押さえ５ｅ及び筒５ｊからなる横にした略Ｈ字状の部材である。コイル４ａの電線４ｆを巻き付けるために使用するもので、プラスチック等の絶縁体を材質とする。
【００５７】
上押さえ５ｄは、前突起５ｆ、後突起５ｇ及びコネクタ嵌合部５ｈを有する略長方形の板である。金枠２ａの上面２ｃの前後を凹ました箇所に前突起５ｆ及び後突起５ｇを嵌め込むことによりボビン５ａを支える。
【００５８】
コネクタ嵌合部５ｈは、コネクタ６ａを嵌め込んで固定する部材であり、金枠２ａの切欠き２ｇに収まる。コネクタ６のように縦向きでも、コネクタ６ａのように横向きでも良く、上押さえ５ｄの四隅のいずれの場所に設けても良い。
【００５９】
コネクタ嵌合部５ｈは、コの字状であり、横側からコネクタ６ａの嵌込部６ｃを嵌め合わせる。尚、ボビン５ａを金枠２ａに設置したときは、金枠２ａの左側面２ｄ又は右側面２ｅによりコネクタ６ａが外れないように押さえられる。
【００６０】
下押さえ５ｅは、略長方形の板である。中央には筒５ｊが貫通し、突出した部分を下板３の孔３ａに嵌め込むことができる。尚、ボビン５ａの場合、下押さえ５ｅの四隅にジグを入れるための切欠き５ｋを空けるので、金枠２ａから下板３を外しやすい。
【００６１】
筒５ｊは、上押さえ５ｄの中央に空いた穴と下押さえ５ｅの中央に空いた穴を繋ぐ管状の部材である。上押さえ５ｄの穴から筒５ｊの内部を通って下押さえ５ｅの穴まで、プランジャー８が通るための貫通孔５ｉが空く。
【００６２】
図１９は、本発明であるコネクタ式ソレノイドのボビンの上押さえに凸部を設けた場合の斜視図であり、図２０は、本発明であるコネクタ式ソレノイドのボビンの上押さえに凸部を設けた場合の平面図であり、図２１は、本発明であるコネクタ式ソレノイドのボビンの上押さえに凸部を設けた場合の左側面図である。
【００６３】
コネクタ式ソレノイド１ａは、ボビン５ｂの上押さえ５ｄの四隅に金枠２ａの切欠き２ｇに嵌合する凸部５ｌを設けることができる。また、コネクタ式ソレノイド１ａは、ボビン５ｂのコネクタ嵌合部５ｈの下部にコネクタ６ａの突起６ｅを嵌め込むための溝５ｍを設けることができる。
【００６４】
金枠２ａの上面２ｃの四隅の全てに切欠き２ｇを設けた場合、ボビン５ｂのコネクタ嵌合部５ｈが収まらない箇所に、切欠き２ｇの形状に合わせて凸部５ｌを設ける。金枠２ａとボビン５ｂとがより適合し、強度的にも補強される。
【００６５】
図２０に示すように、ボビン５ｂのコネクタ嵌合部５ｈにコネクタ６ａの嵌込部６ｃを嵌め込んだ際、コネクタ６ａの上部と突起６ｅにより、コネクタ６ａの位置を固定しているが、突起６ｅが上押さえ５ｄの下側に飛び出していると、巻線４ｄの邪魔になる。      
【００６６】
図２１に示すように、コネクタ嵌合部５ｈの下部に突起６ｅの形状に合わせた溝５ｍを設けることにより、コネクタ６ａの下面と上押さえ５ｄの下面とが連となり、コイル４ａを巻くのに影響を与えなくなる。
【００６７】
以上のように、本発明であるコネクタ式ソレノイドは、簡単に加工することができ、従来とほとんど変わらない手間とコストで製造することができる。部品を共通化することで、製品にばらつきも無くなり、作業効率も良くなる。
【００６８】
また、従来のソレノイドは、ケーブルをコイルに直接ハンダ付けしており、ケーブルの長さを変更することが困難であったが、コネクタ式であれば、ケーブルの長さが変わっても対応することが容易であり、幅広く使用することができるので、在庫を抱えることが無くなる。
【００６９】
更に、コネクタ式であるため取付け及び取外しが容易であり、回収してリサイクルすることができる。強度を保ちつつ、金枠も外しやすくなっているため、コイル等のリユースも容易である。
【図面の簡単な説明】
【００７０】
【図１】本発明であるコネクタ式ソレノイドのコネクタが縦型の場合の斜視図である。
【図２】本発明であるコネクタ式ソレノイドのコネクタが縦型の場合の正面図である。
【図３】本発明であるコネクタ式ソレノイドのコネクタが縦型の場合の平面図である。
【図４】本発明であるコネクタ式ソレノイドのコネクタが縦型の場合の左側面図である。
【図５】本発明であるコネクタ式ソレノイドのコネクタが縦型の場合の右側面図である。
【図６】本発明であるコネクタ式ソレノイドのコネクタが縦型の場合の底面図である。
【図７】本発明であるコネクタ式ソレノイドのコネクタが縦型の場合の背面図である。
【図８】本発明であるコネクタ式ソレノイドのコネクタが横型の場合の斜視図である。
【図９】本発明であるコネクタ式ソレノイドのコネクタが横型の場合の正面図である。
【図１０】本発明であるコネクタ式ソレノイドのコネクタが横型の場合の平面図である。
【図１１】本発明であるコネクタ式ソレノイドのコネクタが横型の場合の右側面図である。
【図１２】本発明であるコネクタ式ソレノイドのコネクタが横型の場合の金枠の斜視図である。
【図１３】本発明であるコネクタ式ソレノイドの下板の斜視図である。
【図１４】本発明であるコネクタ式ソレノイドの金枠を取り外したコイルの斜視図である。
【図１５】本発明であるコネクタ式ソレノイドのボビンを取り外したコイルの斜視図である。
【図１６】本発明であるコネクタ式ソレノイドのコネクタの右側面図である。
【図１７】本発明であるコネクタ式ソレノイドのボビンの上押さえ側からの斜視図である。
【図１８】本発明であるコネクタ式ソレノイドのボビンの下押さえ側からの斜視図である。
【図１９】本発明であるコネクタ式ソレノイドのボビンの上押さえに凸部を設けた場合の斜視図である。
【図２０】本発明であるコネクタ式ソレノイドのボビンの上押さえに凸部を設けた場合の平面図である。
【図２１】本発明であるコネクタ式ソレノイドのボビンの上押さえに凸部を設けた場合の左側面図である。
【図２２】従来のソレノイドの斜視図である。
【符号の説明】
【００７１】
１      コネクタ式ソレノイド
１ａ    コネクタ式ソレノイド
１ｂ    ソレノイド
２      金枠
２ａ    金枠
２ｂ    金枠
２ｃ    上面
２ｄ    左側面
２ｅ    右側面
２ｆ    孔
２ｇ    切欠き
２ｈ    左凸部
２ｉ    右凸部
２ｊ    突起
２ｋ    留穴
２ｌ    凹み
３      下板
３ａ    孔
３ｂ    切欠き
４      コイル
４ａ    コイル
４ｂ    コイル
４ｃ    外装テープ
４ｄ    巻線
４ｅ    貫通孔
４ｆ    電線
４ｇ    ケーブル
５      ボビン
５ａ    ボビン
５ｂ    ボビン
５ｃ    ボビン
５ｄ    上押さえ
５ｅ    下押さえ
５ｆ    前突起
５ｇ    後突起
５ｈ    コネクタ嵌合部
５ｉ    貫通孔
５ｊ    筒
５ｋ    切欠き
５ｌ    凸部
５ｍ    溝
６      コネクタ
６ａ    コネクタ
６ｂ    差込孔
６ｃ    嵌込部
６ｄ    ケーブル
６ｅ    突起
７      リベット
７ａ    孔
８      プランジャー
８ａ    ワッシャー
８ｂ    リング
８ｃ    孔
８ｄ    連結溝
９      ケーブル
９ａ    ケーブル側コネクタ
【図１】
2007142169.tif 000003
【図２】
2007142169.tif 000004
【図３】
2007142169.tif 000005
【図４】
2007142169.tif 000006
【図５】
2007142169.tif 000007
【図６】
2007142169.tif 000008
【図７】
2007142169.tif 000009
【図８】
2007142169.tif 000010
【図９】
2007142169.tif 000011
【図１０】
2007142169.tif 000012
【図１１】
2007142169.tif 000013
【図１２】
2007142169.tif 000014
【図１３】
2007142169.tif 000015
【図１４】
2007142169.tif 000016
【図１５】
2007142169.tif 000017
【図１６】
2007142169.tif 000018
【図１７】
2007142169.tif 000019
【図１８】
2007142169.tif 000020
【図１９】
2007142169.tif 000021
【図２０】
2007142169.tif 000022
【図２１】
2007142169.tif 000023
【図２２】
2007142169.tif 000024
【手続補正書】
【提出日】平成18年4月28日(2006.4.28)
【手続補正１】
【補正対象書類名】特許請求の範囲
【補正対象項目名】全文
【補正方法】変更
【補正の内容】
【特許請求の範囲】
【請求項１】
金板を逆Ｕ字状に折り曲げ、前記金板の左側面の上部から右側面の上部まで上面の幅を狭くするための凹みを前後に設け、前記上面の四隅いずれかに縦長又は横長の切欠きを空け、前記左側面の下端に突起のある左凸部を設け、前記右側面の下端に突起のある右凸部を設け、前記左側面又は右側面に壁面へ固定するための留穴を空けた金枠と、
前記金枠の左凸部及び右凸部と接合し突起を潰して固定するために左右両端に切欠きを空け、中央に孔を空けた下板と、
前記金枠の凹みに上押さえの前突起及び後突起を嵌め込み、前記上押さえの四隅いずれかで前記金枠の切欠きが空いた位置にコの字状のコネクタ嵌合部を設け、前記上押さえの中央と下押さえの中央とをプランジャーが通る貫通孔を有する筒で繋ぎ、前記下押さえの四隅に切欠きを設け、前記下押さえから下側に貫通した筒の先端を前記下板の孔に嵌め込むことにより前記金枠の内部に収納されたボビンと、
前記ボビンに巻き付けたコイルの電線の先端に接続し、前記ボビンのコネクタ嵌合部に嵌込部を嵌め込むことにより、上部が上方に突出するコネクタとからなり、
前記コネクタの嵌込部に突起があっても、コネクタ嵌合部に溝を設けることにより、コネクタを固定すると共に上押さえの下面を連とすることができることを特徴とするコネクタ式ソレノイド。
【請求項２】
金板を逆Ｕ字状に折り曲げ、前記金板の左側面の上部から右側面の上部まで上面の幅を狭くするための凹みを前後に設け、前記上面の四隅に縦長又は横長の切欠きを空け、前記左側面の下端に突起のある左凸部を設け、前記右側面の下端に突起のある右凸部を設け、前記左側面又は右側面に壁面へ固定するための留穴を空けた金枠と、
前記金枠の左凸部及び右凸部と接合し突起を潰して固定するために左右両端に切欠きを空け、中央に孔を空けた下板と、
前記金枠の凹みに上押さえの前突起及び後突起を嵌め込み、前記上押さえの四隅にコの字状のコネクタ嵌合部又は前記金枠の切欠きに嵌合する凸部を設け、前記上押さえの中央と下押さえの中央とをプランジャーが通る貫通孔を有する筒で繋ぎ、前記下押さえの四隅に切欠きを設け、前記下押さえから下側に貫通した筒の先端を前記下板の孔に嵌め込むことにより前記金枠の内部に収納されたボビンと、
前記ボビンに巻き付けたコイルの電線の先端に接続し、前記ボビンのコネクタ嵌合部に嵌込部を嵌め込むことにより、上部が上方に突出するコネクタとからなり、
前記コネクタの嵌込部に突起があっても、コネクタ嵌合部に溝を設けることにより、コネクタを固定すると共に上押さえの下面を連とすることができることを特徴とするコネクタ式ソレノイド。
【手続補正２】
【補正対象書類名】明細書
【補正対象項目名】全文
【補正方法】変更
【補正の内容】
【発明の詳細な説明】
【技術分野】
【０００１】
本発明は、ほとんどコストを掛けずに加工でき、使い勝手の良いコネクタ式ソレノイドに関するものである。
【背景技術】
【０００２】
パチンコ等の遊技機において、パチンコ球の打出しやパチンコ台内で発生する動作にはソレノイドが用いられる。ソレノイドは、コイルに電流を流したり切ったりすることにより、プランジャーが往復運動する。
【０００３】
図２２は、従来のソレノイドの斜視図である。ソレノイド１ｂは、逆Ｕ字状の金枠２ｂ、金枠２ｂの空いた側を塞ぐ下板３、金枠２ｂ内に設置したコイル４ｂ、コイル４ｂを巻き付けるためのボビン５ｃ、コイル４ｂ内を移動するプランジャー８等からなる。
【０００４】
コイル４ｂにはケーブル４ｇが取り付けられ、電流が供給される。コイル４ｂに電流を流すと、電磁誘導によりプランジャー８が駆動する。尚、リベット７は、金枠２ｂとボビン５ｃを固定するために打つ鋲である。
【０００５】
特許文献１に記載されているように、コイル、スプール、第１ヨーク片及び第２ヨーク片からなるソレノイド本体に対して、コネクタを実装した基板を取り付け、カバーを装着したソレノイド装置という発明も公開されている。
【特許文献１】特開２００３−００７５２９号公報
【発明の開示】
【発明が解決しようとする課題】
【０００６】
しかしながら、特許文献１に記載の発明は、コネクタを実装した基板を取り付け、カバーを装着しているため、形状が大きくなり嵩張る上に、基板及びカバーを製造するコストも余計に掛かる。
【０００７】
そこで、本発明は、ほとんどコストを掛けずに加工でき、使い勝手の良いコネクタ式ソレノイドを提供することを目的とするものである。
【課題を解決するための手段】
【０００８】
本発明は、上記の課題を解決するために、金板を逆Ｕ字状に折り曲げ、前記金板の左側面２ｄの上部から右側面２ｅの上部まで上面２ｃの幅を狭くするための凹み２ｌを前後に設け、前記上面２ｃの四隅いずれかに縦長又は横長の切欠き２ｇを空け、前記左側面２ｄの下端に突起２ｊのある左凸部２ｈを設け、前記右側面２ｅの下端に突起２ｊのある右凸部２ｉを設け、前記左側面２ｄ又は右側面２ｅに壁面へ固定するための留穴２ｋを空けた金枠２と、前記金枠２の左凸部２ｈ及び右凸部２ｉと接合し突起２ｊを潰して固定するために左右両端に切欠き３ｂを空け、中央に孔３ａを空けた下板３と、前記金枠２の凹み２ｌに上押さえ５ｄの前突起５ｆ及び後突起５ｇを嵌め込み、前記上押さえ５ｄの四隅いずれかで前記金枠２の切欠き２ｇが空いた位置にコの字状のコネクタ嵌合部５ｈを設け、前記上押さえ５ｄの中央と下押さえ５ｅの中央とをプランジャー８が通る貫通孔５ｉを有する筒５ｊで繋ぎ、前記下押さえ５ｅの四隅に切欠き５ｋを設け、前記下押さえ５ｅから下側に貫通した筒５ｊの先端を前記下板３の孔３ａに嵌め込むことにより前記金枠２の内部に収納されたボビン５と、前記ボビン５に巻き付けたコイル４の電線４ｆの先端に接続し、前記ボビン５のコネクタ嵌合部５ｈに嵌込部６ｃを嵌め込むことにより、上部が上方に突出するコネクタ６とからなり、前記コネクタ６の嵌込部６ｃに突起６ｅがあっても、コネクタ嵌合部５ｈに溝５ｍを設けることにより、コネクタ６を固定すると共に上押さえ５ｄの下面を連とすることができることを特徴とするコネクタ式ソレノイド１の構成及び金板を逆Ｕ字状に折り曲げ、前記金板の左側面２ｄの上部から右側面２ｅの上部まで上面２ｃの幅を狭くするための凹み２ｌを前後に設け、前記上面２ｃの四隅に縦長又は横長の切欠き２ｇを空け、前記左側面２ｄの下端に突起２ｊのある左凸部２ｈを設け、前記右側面２ｅの下端に突起２ｊのある右凸部２ｉを設け、前記左側面２ｄ又は右側面２ｅに壁面へ固定するための留穴２ｋを空けた金枠２ａと、前記金枠２の左凸部２ｈ及び右凸部２ｉと接合し突起２ｊを潰して固定するために左右両端に切欠き３ｂを空け、中央に孔３ａを空けた下板３と、前記金枠２の凹み２ｌに上押さえ５ｄの前突起５ｆ及び後突起５ｇを嵌め込み、前記上押さえ５ｄの四隅にコの字状のコネクタ嵌合部５ｈ又は前記金枠２の切欠き２ｇに嵌合する凸部５ｌを設け、前記上押さえ５ｄの中央と下押さえ５ｅの中央とをプランジャー８が通る貫通孔５ｉを有する筒５ｊで繋ぎ、前記下押さえ５ｅの四隅に切欠き５ｋを設け、前記下押さえ５ｅから下側に貫通した筒５ｊの先端を前記下板３の孔３ａに嵌め込むことにより前記金枠２の内部に収納されたボビン５ｂと、前記ボビン５に巻き付けたコイル４の電線４ｆの先端に接続し、前記ボビン５のコネクタ嵌合部５ｈに嵌込部６ｃを嵌め込むことにより、上部が上方に突出するコネクタ６とからなり、前記コネクタ６の嵌込部６ｃに突起６ｅがあっても、コネクタ嵌合部５ｈに溝５ｍを設けることにより、コネクタ６を固定すると共に上押さえ５ｄの下面を連とすることができることを特徴とするコネクタ式ソレノイド１ａの構成とした。
【発明の効果】
【０００９】
本発明は、以上の構成であるから以下の効果が得られる。第１に、簡単に加工することができ、従来とほとんど変わらない手間とコストで製造することができる。部品を共通化することで、製品にばらつきも無くなり、作業効率も良くなる。
【００１０】
第２に、従来のソレノイドは、ケーブルをコイルに直接ハンダ付けしており、ケーブルの長さを変更することが困難であったが、コネクタ式であれば、ケーブルの長さが変わっても対応することが容易であり、幅広く使用することができるので、在庫を抱えることが無くなる。
【００１１】
第３に、コネクタ式であるため取付け及び取外しが容易であり、回収してリサイクルすることができる。強度を保ちつつ、金枠も外しやすくなっているため、コイル等のリユースも容易である。
【発明を実施するための最良の形態】
【００１２】
本発明は、ほとんどコストを掛けずに加工でき、使い勝手を良くするという目的を、金板を逆Ｕ字状に折り曲げ両端に下板を嵌合した金枠と、前記金枠の内部に収納したボビンに電線を巻き付けたコイルと、前記コイルの電線から延びたコネクタとからなり、金枠の上面の隅に切欠きを縦長に設け、コネクタを取り付けたボビンのコネクタ嵌合部を前記切欠きから出したコネクタ式ソレノイドとすることで実現した。
【実施例１】
【００１３】
以下に、添付図面に基づいて、本発明であるコネクタ式ソレノイドについて詳細に説明する。
【００１４】
コネクタ式ソレノイド１は、金板を逆Ｕ字状に折り曲げ両端に下板３を嵌合した金枠２と、前記金枠２の内部に収納したボビン５に電線４ｆを巻き付けたコイル４と、前記コイル４の電線４ｆから延びたコネクタ６とからなり、金枠２の上面２ｃの隅に切欠き２ｇを縦長に設け、コネクタ６を取り付けたボビン５のコネクタ嵌合部５ｈを前記切欠き２ｇから出したことを特徴とする。
【００１５】
図１から図７は、本発明であるコネクタ式ソレノイドのコネクタが縦型の場合の図である。尚、図１は斜視図であり、図２は正面図であり、図３は平面図であり、図４は左側面図であり、図５は右側面図であり、図６は底面図であり、図７は背面図である。
【００１６】
コネクタ式ソレノイド１は、金枠２、下板３、コイル４、ボビン５、コネクタ６、リベット７及びプランジャー８等からなり、コネクタ６にケーブル９のケーブル側コネクタ９ａを接続する。
【００１７】
金枠２は、上面２ｃ、左側面２ｄ及び右側面２ｅ等からなる。内部にコイル４を収納した後、左側面２ｄの左凸部２ｈ及び右側面２ｅの右凸部２ｉに、下板３の切欠き３ｂを合わせて取り付けることにより、金枠２の下側を閉じる。
【００１８】
尚、左凸部２ｈ及び右凸部２ｉには、潰すことで下板３を固定するための突起２ｊを有し、右側面２ｅには、金枠２を壁面等に取り付けるための留穴２ｋを有する。また、上面２ｃには、ボビン５を支えるための凹み２ｌを有する。
【００１９】
金枠２の上面２ｃの四隅のうちの一箇所には、縦長に切欠き２ｇが空けられ、ボビン５のコネクタ嵌合部５ｈが収められ、前方へコネクタ嵌合部５ｈに取り付けられたコネクタ６が突出する。
【００２０】
また、上面２ｃの孔には、リベット７が取り付けられ、下板３の孔には、プランジャー８が通される。リベット７は、中心に孔７ａのある円盤状の部材であり、金枠２とボビン５を繋ぎ合わせる。
【００２１】
プランジャー８は、コイル４内を往復運動する部材で、バネやストッパー等により位置を制御する。プランジャー８は、使用目的により形状等を変えることができる。例えば、円柱状にして湾曲したＥ型のリング８ｂ及び環状のワッシャー８ａを通したり、先端に連結溝８ｄ及び孔８ｃを設けて他の部品と連結できるようにしたりする。
【００２２】
コイル４が巻かれるボビン５は、上押さえ５ｄ及び下押さえ５ｅ等からなり、上押さえ５ｄは、前突起５ｆ、後突起５ｇ及びコネクタ嵌合部５ｈを有する。前突起５ｆ及び後突起５ｇは、金枠２に嵌め込み、コネクタ嵌合部５ｈには、コネクタ６を嵌め込む。
【００２３】
コネクタ６は、差込孔６ｂ及び嵌込部６ｃ等からなる。差込孔６ｂは、ケーブル９のケーブル側コネクタ９ａが差し込まれる箇所であり、嵌込部６ｃは、ボビン５のコネクタ嵌合部５ｈに嵌め込む箇所である。
【００２４】
図８から図１１までは、本発明であるコネクタ式ソレノイドのコネクタが横型の場合の図である。尚、図８は斜視図であり、図９は正面図であり、図１０は平面図であり、図１１は右側面図である。
【００２５】
コネクタ式ソレノイド１ａは、金枠２ａの上面２ｃの隅に切欠き２ｇを横長に設けコネクタ６ａを取り付けたボビン５ａのコネクタ嵌合部５ｈを前記切欠き２ｇから出したことを特徴とする。また、コネクタ式ソレノイド１ａは、金枠２ａの上面２ｃの四隅にコネクタ６ａ用の切欠き２ｇを設けたことを特徴とする。更に、コネクタ式ソレノイド１ａは、ボビン５ａの下押さえ５ｅの四隅に切欠き５ｋを設けたことを特徴とする。
【００２６】
コネクタ式ソレノイド１ａは、コネクタ式ソレノイド１と同様に、金枠２ａ、下板３、コイル４ａ、ボビン５ａ、コネクタ６ａ、リベット７及びプランジャー８等からなり、コネクタ６ａにケーブル９のケーブル側コネクタ９ａを接続する。
【００２７】
金枠２ａは、金枠２と同様の部材であるが、上面２ｃの切欠き２ｇが金枠２と異なる。切欠き２ｇは、上面２ｃの四隅の全てに対し、横長に空けられる。尚、下板３及びリベット７及びプランジャー８等は、同一である。
【００２８】
コイル４ａ及びボビン５ａは、コイル４及びボビン５と同様であるが、上押さえ５ｄのコネクタ嵌合部５ｈを横向きにしたことと、下押さえ５ｅの四隅に切欠き５ｋを空けたことが異なる。
【００２９】
コネクタ６ａは、コネクタ６と同じであるが、金枠２ａの切欠き２ｇが横長に空けられたことにより横向きに取り付けられる。尚、切欠き２ｇが上面２ｃの四隅の全てに空けられたため、どの位置にコネクタ６ａを設けても良い。
【００３０】
図１２は、本発明であるコネクタ式ソレノイドのコネクタが横型の場合の金枠の斜視図である。金枠２ａは、略長方形の板状の金属等である金板を逆Ｕ字状に折り曲げた部材である。
【００３１】
金枠２ａの上面２ｃには、孔２ｆ及び切欠き２ｇが空けられる。金枠２ａの左側面２ｄには、突起２ｊのある左凸部２ｈと凹み２ｌとが設けられる。金枠２ａの右側面２ｅには、突起２ｊのある右凸部２ｉと凹み２ｌとが設けられ、留穴２ｋが空けられる。
【００３２】
上面２ｃは、金枠２ａの中央部であり、左側には左側面２ｄが垂下し、右側には右側面２ｅが垂下する。尚、上面２ｃは、ボビン５ａの上押さえ５ｄを掛けるために、左側面２ｄ又は右側面２ｅよりも幅が短い。また、上面２ｃの中央には、リベット７を留めるための円形の孔２ｆが貫通する。
【００３３】
上面２ｃの四隅には、ボビン５ａのコネクタ嵌合部５ｈを通すための切欠き２ｇが空けられる。尚、金枠２ａの場合はコネクタ６ａを横にして取り付けるため横長であるが、金枠２の場合はコネクタ６を縦にして取り付けるため縦長である。
【００３４】
また、金枠２ではコネクタ６を設置する箇所のみ切欠き２ｇを空けているが、金枠２ａでは四隅全てに切欠き２ｇを空けている。金枠２ａの形状にバランスが取れる上に、コネクタ６を四隅のいずれかに設置することができるので汎用的である。尚、四隅に切欠き２ｇを設ける場合、強度的な面から横長の方が好ましい。
【００３５】
左側面２ｄは、金枠２ａの左部分である。上側は上面２ｃに連設され、下側は下板３と接続するための左凸部２ｈが設けられる。左側面２ｄの上部は、上面２ｃの幅が狭くなることから凹み２ｌが生じる。
【００３６】
左凸部２ｈは、左側面２ｄの下端中央に突設される。左凸部２ｈの両端には突起２ｊが設けられ、下板３を接合した後で突起２ｊを潰して拡げることにより、下板３が外れないように固定する。
【００３７】
右側面２ｅは、金枠２ａの右部分である。上側は上面２ｃに連設され、下側は下板３と接続するための右凸部２ｉが設けられる。右側面２ｅの上部は、上面２ｃの幅が狭くなることから凹み２ｌが生じる。
【００３８】
右凸部２ｉは、右側面２ｅの下端中央に突設される。右凸部２ｉの両端には突起２ｊが設けられ、下板３を接合した後で突起２ｊを潰して拡げることにより、下板３が外れないように固定する。
【００３９】
右側面２ｅには、金枠２ａを壁面に固定するための留穴２ｋが４ヶ所又は２ヶ所空けられる。尚、右側面２ｅではなく、左側面２ｄに空けても良い。留穴２ｋは、ネジ穴にすればネジ留めすることもできる。
【００４０】
図１３は、本発明であるコネクタ式ソレノイドの下板の斜視図である。下板３は、長方形状の金板であり、金枠２ａの下面に取り付ける。下板３の中央には孔３ａが空けられ、左右両端にはそれぞれ切欠き３ｂが空けられる。
【００４１】
孔３ａは、プランジャー８が通過する箇所である。孔３ａには、金枠２ａの中にボビン５ａを収納した際に、ボビン５の下押さえ５ｅを貫通して下側に出た筒５ｊの先端が嵌め込まれる。
【００４２】
切欠き３ｂは、金枠２ａの左側面２ｄの左凸部２ｈ又は右側面２ｅの右凸部２ｉが嵌合される箇所である。左右両側の切欠き３ｂに左側面２ｄ及び右側面２ｅを固定することにより、金枠２ａの空いた面を塞ぐことができる。
【００４３】
図１４は、本発明であるコネクタ式ソレノイドの金枠を取り外したコイルの斜視図である。コネクタ式ソレノイド１ａから下板３を外して金枠２ａを取り除くと、コイル４ａ、ボビン５ａ及びコネクタ６ａが残る。
【００４４】
コイル４ａは、ボビン５ａに電線４ｆを巻き付けたものであるが、巻かれた電線４ｆを保護し、かつ、コネクタ６ａと電線４ｆを繋ぐケーブル６ｄを隠すために外装テープ４ｃで表面を覆う。
【００４５】
ボビン５ａは、コイル４ａにする電線４ｆを巻くと共に、コイル４ａを金枠２ａの内側に設置した際にコイル４ａを支えるものである。また、コイル４ａから延びたコネクタ６ａを支えるのにも使用する。
【００４６】
コネクタ６ａは、外部のケーブル９と接続することにより、コイル４ａに電流を供給するためのものである。尚、外部のケーブル９のケーブル側コネクタ９ａはオス型であるため、コネクタ６ａはメス型である。
【００４７】
図１５は、本発明であるコネクタ式ソレノイドのボビンを取り外したコイルの斜視図である。コイル４ａの外装テープ４ｃも取り除くと、コイル４ａの本体である巻線４ｄが現れる。
【００４８】
巻線４ｄは、電線４ｆを何重にも巻いたものである。電線４ｆに電流を流すと、電磁誘導により中心の貫通孔４ｅに一定方向の力が生じることを利用し、プランジャー８を往復運動させる。
【００４９】
巻線４ｄの電線４ｆの先端は、両端ともコネクタ６ａのケーブル６ｄに接続し、コネクタ６ａを介して電流の供給を受ける。コネクタ６ａを使用することにより、コイル４ａからケーブル６ｄを延ばす必要がなくなる。尚、電線４ｆとケーブル６ｄの導線とはハンダ付けにより接続する。
【００５０】
図１６は、本発明であるコネクタ式ソレノイドのコネクタの右側面図である。コネクタ６ａは、コイル４ａのケーブル６ｄと外部のケーブル９とを接続する部材である。コネクタ６ａは、差込孔６ｂ、嵌込部６ｃ及びケーブル６ｄ等を有し、ボビン５ａのコネクタ嵌合部５ｈは、コネクタ６ａの形状に合わせて成型される。
【００５１】
差込孔６ｂは、ケーブル９のケーブル側コネクタ９ａを差し込む箇所であり、ケーブル側コネクタ９ａと形状や規格等を合致させる。内部には、電流を中継ぎするための端子も設けられる。
【００５２】
嵌込部６ｃは、差込孔６ｂのあるコネクタ６ａの上部より一回り小さい箇所であり、ボビン５のコネクタ嵌合部５ｈに嵌め込むことにより、コネクタ６ａの上部をコネクタ嵌合部５ｈの上方に突出させる。
【００５３】
嵌込部６ｃの下端には突起６ｅがあり、ボビン５のコネクタ嵌合部５ｈに嵌め込んだ際に、コネクタ６ａの上部と突起６ｅによりコネクタ６ａが上下に移動しないように固定することができる。
【００５４】
ケーブル６ｄは、コネクタ６ａとコイル４ａの電線４ｆを繋ぐための部材である。コイル４ａの電線４ｆの一端を繋ぐケーブル６ｄと、もう一端を繋ぐケーブル６ｄとの２本がコネクタ６ａに接続される。
【００５５】
図１７は、本発明であるコネクタ式ソレノイドのボビンの上押さえ側からの斜視図であり、図１８は、本発明であるコネクタ式ソレノイドのボビンの下押さえ側からの斜視図である。
【００５６】
ボビン５ａは、上押さえ５ｄ、下押さえ５ｅ及び筒５ｊからなる横にした略Ｈ字状の部材である。コイル４ａの電線４ｆを巻き付けるために使用するもので、プラスチック等の絶縁体を材質とする。
【００５７】
上押さえ５ｄは、前突起５ｆ、後突起５ｇ及びコネクタ嵌合部５ｈを有する略長方形の板である。金枠２ａの上面２ｃの前後を凹ました箇所に前突起５ｆ及び後突起５ｇを嵌め込むことによりボビン５ａを支える。
【００５８】
コネクタ嵌合部５ｈは、コネクタ６ａを嵌め込んで固定する部材であり、金枠２ａの切欠き２ｇに収まる。コネクタ６のように縦向きでも、コネクタ６ａのように横向きでも良く、上押さえ５ｄの四隅のいずれの場所に設けても良い。
【００５９】
コネクタ嵌合部５ｈは、コの字状であり、横側からコネクタ６ａの嵌込部６ｃを嵌め合わせる。尚、ボビン５ａを金枠２ａに設置したときは、金枠２ａの左側面２ｄ又は右側面２ｅによりコネクタ６ａが外れないように押さえられる。
【００６０】
下押さえ５ｅは、略長方形の板である。中央には筒５ｊが貫通し、突出した部分を下板３の孔３ａに嵌め込むことができる。尚、ボビン５ａの場合、下押さえ５ｅの四隅にジグを入れるための切欠き５ｋを空けるので、金枠２ａから下板３を外しやすい。
【００６１】
筒５ｊは、上押さえ５ｄの中央に空いた穴と下押さえ５ｅの中央に空いた穴を繋ぐ管状の部材である。上押さえ５ｄの穴から筒５ｊの内部を通って下押さえ５ｅの穴まで、プランジャー８が通るための貫通孔５ｉが空く。
【００６２】
図１９は、本発明であるコネクタ式ソレノイドのボビンの上押さえに凸部を設けた場合の斜視図であり、図２０は、本発明であるコネクタ式ソレノイドのボビンの上押さえに凸部を設けた場合の平面図であり、図２１は、本発明であるコネクタ式ソレノイドのボビンの上押さえに凸部を設けた場合の左側面図である。
【００６３】
コネクタ式ソレノイド１ａは、ボビン５ｂの上押さえ５ｄの四隅に金枠２ａの切欠き２ｇに嵌合する凸部５ｌを設けることができる。また、コネクタ式ソレノイド１ａは、ボビン５ｂのコネクタ嵌合部５ｈの下部にコネクタ６ａの突起６ｅを嵌め込むための溝５ｍを設けることができる。
【００６４】
金枠２ａの上面２ｃの四隅の全てに切欠き２ｇを設けた場合、ボビン５ｂのコネクタ嵌合部５ｈが収まらない箇所に、切欠き２ｇの形状に合わせて凸部５ｌを設ける。金枠２ａとボビン５ｂとがより適合し、強度的にも補強される。
【００６５】
図２０に示すように、ボビン５ｂのコネクタ嵌合部５ｈにコネクタ６ａの嵌込部６ｃを嵌め込んだ際、コネクタ６ａの上部と突起６ｅにより、コネクタ６ａの位置を固定しているが、突起６ｅが上押さえ５ｄの下側に飛び出していると、巻線４ｄの邪魔になる。      
【００６６】
図２１に示すように、コネクタ嵌合部５ｈの下部に突起６ｅの形状に合わせた溝５ｍを設けることにより、コネクタ６ａの下面と上押さえ５ｄの下面とが連となり、コイル４ａを巻くのに影響を与えなくなる。
【００６７】
以上のように、本発明であるコネクタ式ソレノイドは、簡単に加工することができ、従来とほとんど変わらない手間とコストで製造することができる。部品を共通化することで、製品にばらつきも無くなり、作業効率も良くなる。
【００６８】
また、従来のソレノイドは、ケーブルをコイルに直接ハンダ付けしており、ケーブルの長さを変更することが困難であったが、コネクタ式であれば、ケーブルの長さが変わっても対応することが容易であり、幅広く使用することができるので、在庫を抱えることが無くなる。
【００６９】
更に、コネクタ式であるため取付け及び取外しが容易であり、回収してリサイクルすることができる。強度を保ちつつ、金枠も外しやすくなっているため、コイル等のリユースも容易である。
【図面の簡単な説明】
【００７０】
【図１】本発明であるコネクタ式ソレノイドのコネクタが縦型の場合の斜視図である。
【図２】本発明であるコネクタ式ソレノイドのコネクタが縦型の場合の正面図である。
【図３】本発明であるコネクタ式ソレノイドのコネクタが縦型の場合の平面図である。
【図４】本発明であるコネクタ式ソレノイドのコネクタが縦型の場合の左側面図である。
【図５】本発明であるコネクタ式ソレノイドのコネクタが縦型の場合の右側面図である。
【図６】本発明であるコネクタ式ソレノイドのコネクタが縦型の場合の底面図である。
【図７】本発明であるコネクタ式ソレノイドのコネクタが縦型の場合の背面図である。
【図８】本発明であるコネクタ式ソレノイドのコネクタが横型の場合の斜視図である。
【図９】本発明であるコネクタ式ソレノイドのコネクタが横型の場合の正面図である。
【図１０】本発明であるコネクタ式ソレノイドのコネクタが横型の場合の平面図である。
【図１１】本発明であるコネクタ式ソレノイドのコネクタが横型の場合の右側面図である。
【図１２】本発明であるコネクタ式ソレノイドのコネクタが横型の場合の金枠の斜視図である。
【図１３】本発明であるコネクタ式ソレノイドの下板の斜視図である。
【図１４】本発明であるコネクタ式ソレノイドの金枠を取り外したコイルの斜視図である。
【図１５】本発明であるコネクタ式ソレノイドのボビンを取り外したコイルの斜視図である。
【図１６】本発明であるコネクタ式ソレノイドのコネクタの右側面図である。
【図１７】本発明であるコネクタ式ソレノイドのボビンの上押さえ側からの斜視図である。
【図１８】本発明であるコネクタ式ソレノイドのボビンの下押さえ側からの斜視図である。
【図１９】本発明であるコネクタ式ソレノイドのボビンの上押さえに凸部を設けた場合の斜視図である。
【図２０】本発明であるコネクタ式ソレノイドのボビンの上押さえに凸部を設けた場合の平面図である。
【図２１】本発明であるコネクタ式ソレノイドのボビンの上押さえに凸部を設けた場合の左側面図である。
【図２２】従来のソレノイドの斜視図である。
【符号の説明】
【００７１】
１      コネクタ式ソレノイド
１ａ    コネクタ式ソレノイド
１ｂ    ソレノイド
２      金枠
２ａ    金枠
２ｂ    金枠
２ｃ    上面
２ｄ    左側面
２ｅ    右側面
２ｆ    孔
２ｇ    切欠き
２ｈ    左凸部
２ｉ    右凸部
２ｊ    突起
２ｋ    留穴
２ｌ    凹み
３      下板
３ａ    孔
３ｂ    切欠き
４      コイル
４ａ    コイル
４ｂ    コイル
４ｃ    外装テープ
４ｄ    巻線
４ｅ    貫通孔
４ｆ    電線
４ｇ    ケーブル
５      ボビン
５ａ    ボビン
５ｂ    ボビン
５ｃ    ボビン
５ｄ    上押さえ
５ｅ    下押さえ
５ｆ    前突起
５ｇ    後突起
５ｈ    コネクタ嵌合部
５ｉ    貫通孔
５ｊ    筒
５ｋ    切欠き
５ｌ    凸部
５ｍ    溝
６      コネクタ
６ａ    コネクタ
６ｂ    差込孔
６ｃ    嵌込部
６ｄ    ケーブル
６ｅ    突起
７      リベット
７ａ    孔
８      プランジャー
８ａ    ワッシャー
８ｂ    リング
８ｃ    孔
８ｄ    連結溝
９      ケーブル
９ａ    ケーブル側コネクタ